(57)【要約】【課題】完全であれ、中途半端な状態であれ、カードコネクタ内にカードが残存している状態を、確実に検出できるカードコネクタを得る。【解決手段】カードの挿入口５の近傍にあってカードが進入してきた際、該カードの先端に当接して変位するカード検知片６３と、該カード検知片の変位を感知するカード残存検知スイッチ７とを備えるカードコネクタとすることによって、カードコネクタ内にカードが残存していれば、カードの挿入口５の近傍にあるカード検知片が確実にカードの存在を検知する。【選択図】　　　　図２
2004139212.tif 000002
【特許請求の範囲】
【請求項１】
挿入口の近傍にあってカードが進入してきた際、該カードの先端に当接して変位するカード検知片と、該カード検知片の変位を感知するカード残存検知スイッチとを備えることを特徴とするカードコネクタ。
【請求項２】
挿入口にあってカードが進入してきた際、カードによって
その内方に押し開かれるシャッタと、該シャッタに近接し、または一体に設けられ且つ該シャッタと連動し変位するカード検知片と、該検知片の近傍のハウジング内に収納され前記検知片の変位を感知するカード残存検知スイッチとを備えることを特徴とするカードコネクタ。
【発明の詳細な説明】
【０００１】
【発明の属する技術分野】
この発明は、ＩＣカード、ＳＤカード、メモリーカードなどに用いるカードコネクタに関する。
【０００２】
【従来の技術】
カードコネクタでは、データーを例えばメモリーカードに書き込んでいるときに、メモリーカードが引き抜かれてしまうと、データーが壊れてしまうおそれがあり、メモリーカードが装着されているのか、あるいはメモリーカードがイジェクトされているのかを検出する必要がある。このため、例えば、特開２００２−１１０２９７に開示されているように、カードが完全にコネクタ内に装填された状態、或いはカードがコネクタから完全にイジェクトされた状態を検出する発明に主眼が置かれていた。また、特開平８−５０９６２に開示のカードコネクタは、コネクタに対するＩＣパックの挿入又は抜き取りによる進行中のプロセスに対しての干渉を防ぐため、またプロセスに必要なＩＣパックが挿入されているかを警告するために、ＩＣパックのコネクタへの挿入につれてＩＣパックの挿入路に配置されたスイッチが直接応答して作動されるものである。
【０００３】
【発明が解決しようとする課題】
カードコネクタ及びこれを含む電子機器を車両（或いは航空機、船舶など）に搭載する場合、スペースの有効活用の観点から、インストルメントパネルの中央部に用意したカーネビゲータ用ディスプレイ装置（航空機、船舶にあってはシートバック部の中央に用意したビデオのディスプレイ装置など）の背面空間に、カードコネクタを収容することがある。即ち、カードコネクタはディスプレイ装置の背面に隠されていることがある。この場合にカードを挿抜せんとする時は、上記ディスプレイ装置をスイング或いはスライドさせてインストルメントパネル（或いはシートバック）に形成された背部空間を開放し、カードコネクタにアクセスするようになっている。そしてこのカード挿入・交換の際、カードが完全にコネクタ内に装填されず、中途半端に挿入された状態でディスプレイ装置をスイング又はスライドさせてこの背部空間を閉じようとすると、コネクタから飛び出しているカードにディスプレイ装置が衝突し、カードにダメージを与えてしまう虞やディスプレイ装置を損傷させてしまう可能性があった。
【０００４】
しかしながら、従来のカードコネクタでは、カードがわずかに又は中途半端に挿入された状態で引っ掛かってカードコネクタに残存しているときには、検知することができなかった。そこで、本発明は、完全であれ、中途半端な状態であれ、カードコネクタ内にカードが残存している状態を、確実に検出できるカードコネクタを提供することを目的とする。
【０００５】
【課題を解決するための手段】
上記の目的を達成するため、本発明では、挿入口の近傍にあってカードが進入してきた際、該カードの先端に当接して変位するカード検知片と、該カード検知片の変位を感知するカード残存検知スイッチとを備えるカードコネクタとする。これによって、完全であれ、中途半端な状態であれ、カードコネクタ内にカードが残存している状態を、確実に検出できる。
【０００６】
また、挿入口にあってカードが進入してきた際、カードによってその内方に押し開かれるシャッタと、該シャッタに近接し、または一体に設けられ且つ該シャッタと連動し変位するカード検知片（レバー）と、該検知片の近傍のハウジング内に収納され前記検知片の変位を感知するカード残存検知スイッチとを備えるカードコネクタとすれば、完全であれ、中途半端な状態であれ、カードコネクタ内にカードが残存している状態を、確実に検出できるとともに、カードの挿入口にシャッタを有する場合、シャッタの変位を合理的に活用して、カードコネクタの高さ方向寸法の増大を回避できる。
【０００７】
【発明の実施の形態】
以下本発明の実施の形態を図示例と共に説明する。
【０００８】
図１は、本発明による一実施の形態としてのカードコネクタの外観斜視図で、カードとその挿入方向も示している。図２は、図１の実施形態のカードコネクタのカバーとハウジングを取り払った状態を示す斜視図である。図３は、図１の実施形態のカード残存検知スイッチに沿った断面図である。図４は、図１の実施形態のカードコネクタにおけるカード残存検知スイッチとシャッタとの関係を示す部分的な斜視図である。
【０００９】
図１と図２において、カードコネクタ１は、上面はカバー２で覆われたハウジング４に、カードＣの接触子Ｃ３に圧接し得る複数のメイン端子３、挿入口５に近接してシャッタ６、カード残存検知スイッチ７を、また書込み検知スイッチ８、カード検知スイッチ９、スライダ４４などが収納されて構成されている。
【００１０】
それぞれのメイン端子３は、ハウジング４の溝に収納され、この溝に取り付けるための取付部３ａ、そこから伸びた基板などの配線パターンに半田付けされる端子部３ｂ、他方側に伸びた弾性を有する腕部３ｃ、腕部３ｃ先端に設けられるカードＣの接触子Ｃ３（後述）と接触する接触部３ｄを有する。
【００１１】
シャッタ６は、ハウジング４に保持される軸６１を有し、回転可能に、通常は、略垂直に起立していて、挿入口５を閉じており、コネクタ内部への塵埃の進入を防いでいる。軸６１に巻かれた軸バネ６２は、シャッタを起立方向、即ち閉方向に付勢している。シャッタ６の側面には、ここでは同軸一体にカード検知片としてのレバー６３が形成されている。
【００１２】
カード残存検知スイッチ７は、ここではシャッタ６と同軸に形成されるカード検知片としてのレバー６３に押される受圧片７１と、レバー６３に押された受圧片７１と接触する接触片７２とから構成されている。
【００１３】
書込み検知スイッチ８は、カード残存検知スイッチ７の奥方向にカードＣの書込み切替ボタンＣ１に対応すべく配置される。カード検知スイッチ９は、カードＣが完全にコネクタ１内に装填されたことを検出するスイッチで、最奥部に配置される。これらのスイッチは挿入口５の一方側、即ち左側に並べられている。挿入口５の他方の側のハウジング４の奥部には、カードＣの進入を受けてコネクタ１内を水平移動できるスライダ４４があって、図示しないハートカムとピン４１とが協働してプッシュ−プッシュ式（例えば特開２０００−１４８９２７に示されているように、カードＣ装填時はカードを単に押しこみ，ロックさせ、イジェクトの時も同様にカードを単に押しこんで行くだけでロックを外し、且つイジェクトさせることができる公知の方式）の装填・イジェクト動作を実現させている。スタイダ４４の奥には図示しない圧縮コイルバネが設けられこのイジェクト動作の際のパワー源とされる。カード抜け防止金具４３は、装填されたカードが不用意に抜け出すことを防止するための金具であり、これも公知の構成である。
【００１４】
図１の左方には、従来から用いられているカードＣを示している。カードＣは、平面状の四辺形をしており、右奥に規格により切欠き角Ｃ２が設けられている。側面には、書込み切替ボタンＣ１が、また、裏面には、複数の接触子Ｃ３が設けられる。
【００１５】
図１において、ハウジング４に設けられた挿入口５から、白抜き矢印Ｅで示した方向にカードＣを先端面Ｃ５から挿入する。この挿入口５の前面にはシャッタ６が配されていて、カードＣがコネクタ１内に進入していく場合に、カードの先端面Ｃ５がシャッタ６に当接し、その下端の軸６１回りにシャッタ６を回動させ、これを内方に押し倒して進むことになる。完全にカードがコネクタ内に装填された状態でも、シャッタ６はカードＣによって倒された開放状態に保持される。シャッタ６の役割は、塵埃の進入防止であるが、カードが挿入されている開放状態ではカード自体によって塵埃の進入は防止されている。
【００１６】
図３と図４に示すように、シャッタ６の左端には、カード検知片、即ちレバー６３が同軸一体的に形成されていて、カードＣがコネクタ１内に進入してきてシャッタ６が内方に倒されると、レバー６３も同調して内方に倒れる。そしてレバー６３の近傍のハウジング４内のカード残存検知スイッチ７が、カードＣの進入に伴ってシャッタ６並びにレバー６３が回動した際、レバー６３先端の押圧部６４が受圧片７１先端部に当接してそれを下方に撓めて変位させ、受圧片７１が接触片７２と接触することによってカード残存検知スイッチ７が閉じカードの残存を検知できる。
【００１７】
上記の実施形態では、僅かでもコネクタ１内にカードＣが進入してくれば，その瞬間にシャッタ６並びにレバー６３が内方に倒され、カード残存検知スイッチ７がオンするから、カードの進入ストロークに関係無く、確実にカードの存在を検知できる。
【００１８】
これによって、スイング或いはスライドするディスプレイ装置と中途半端な状態でコネクタ内に残っているカードとが干渉するような事態を、避けることができる。
【００１９】
検知片６３は、ハウジング４の左右いずれの側面にあっても、またカバー２に取付けられていても、更にカードコネクタ１の底面側に設けられていてもよい。しかし、カードＣの切欠き角Ｃ２の挿入される側の側面は、その配置上、カード残存検知スイッチの検知ができない範囲が生じる虞があるので、上記の実施形態のように切欠き角Ｃ２が挿入されると反対側にカード残存検知スイッチを配置するのが望ましい。
【００２０】
また、カードコネクタにあっては、その高さの増大を極端に嫌うが、本実施の形態によれば、カード検知片（レバー６３など）をシャッタ６と一体的に、即ちコネクタの幅方向に設けることができたので、高さ方向の寸法増大をゼロにすることができる。ちなみに、カバー２やカードコネクタの底面に検知片（レバー６３など）を設ければ高さが増大することになる。
【００２１】
さらに、上記の実施の形態では、シャッタ６があってその一端に一体的にレバー６３が形成されている例を説明したが、シャッタ６がない場合にも、挿入口５の壁に回転軸を持つレバー６３を設けるか、受圧片７１の一部をカード検知片６３として受圧片７１を横向きにしてカードＣと接触させるように配置し、本発明を実現することもできる。検知片が、挿入口５の近傍にあって、カードＣが進入してきた際に直ちにそれに当接して変位し，その変位をもってスイッチをオンさせ得るものであれば本発明の一実施の形態となる。
【００２２】
上記の構成による残存状態の検出によって、カードが中途半端な状態でコネクタ内に挿入されていることを警報したり、或いはディスプレイ装置のスライドやスイングを阻止することを実現できる。
【００２３】
【発明の効果】
以上説明したように、本発明によれば、挿入口の近傍にあってカードが進入してきた際、カードの先端に当接して変位するカード検知片と、カード検知片の変位を感知するカード残存検知スイッチとを備えるカードコネクタとすることによって、完全であれ、中途半端な状態であれ、カードコネクタ内にカードが残存している状態を、確実に検出できる。
【図面の簡単な説明】
【図１】図１は本発明による一実施の形態としてのカードコネクタの外観斜視図で、カードとその挿入方向も示している。
【図２】図１の実施形態のカードコネクタのカバーとハウジングを取り払った状態を示す斜視図である。
【図３】図１の実施形態のカード残存検知スイッチに沿った断面図である。
【図４】図１の実施形態のカードコネクタにおけるカード残存検知スイッチとシャッタとの関係を示す部分的な斜視図である。
【符号の説明】
１　カードコネクタ、２　カバー、３　メイン端子、３ａ　取付部、３ｂ　端子部、３ｃ　腕部、３ｄ　接触部、４　ハウジング、５　挿入口、６　シャッタ、７　カード残存検知スイッチ、８　書込み検知スイッチ、９　カード検知スイッチ、４１　ピン、４３　カード抜け防止金具、４４　スライダ、６１　軸、６２　軸バネ、６３　カード検知片（レバー）、６４　押圧部、７１　受圧片、７２　接触片、Ｃ　カード、Ｃ１　書込み切替ボタン、Ｃ２　切欠き角　Ｃ３　接触子　Ｃ５　先端面。
【図１】
2004139212.tif 000003
【図２】
2004139212.tif 000004
【図３】
2004139212.tif 000005
【図４】
2004139212.tif 000006